(57)【要約】【課題】被綴じ物を綴じる第１の本体及び第２の本体が、係合側板から不用意に外れることのない、部品点数を減らすことができる綴じ具を提供する。【解決手段】この発明にかかる綴じ具は、被綴じ物の綴じ孔に挿入される綴杆を有する第１の本体２０４及び第２の本体２０８と、前記第１の本体及び前記第２の本体を固定するための固定手段とを備えた綴じ具であって、前記固定手段は、ベース２０と、枢軸８０、８２と、前記ベースの幅方向の両側に枢軸により揺動自在に固定された柔軟性を有する係合側板９２，９４とを備え、係合側板は、前記係止部１０４，１０６と弾性部１３０，１３２との間において、第１の本体及び第２の本体の係止部及び前記係止部とは高さ方向において反対側の端縁を挟持するように構成され、枢軸とは反対側において係合側板との係止を脱係させた第１の本体又は第２の本体は、枢軸を中心にして係合側板とともに回転するように構成されている。  【選択図】図２
2008302508.tif 000002
【特許請求の範囲】
【請求項１】
被綴じ物の綴じ孔に挿入される第１の綴杆を有する第１の本体と、被綴じ物の綴じ孔に挿入されるために第１の綴杆に連架される第２の綴杆を有する第２の本体と、前記連架された第１の綴杆と第２の綴杆との間隔を縮めた状態で、前記第１の本体及び前記第２の本体を固定するための固定手段とを備えた綴じ具であって、
前記固定手段は、ベースと、前記にベースの幅方向の両側に設けられた枢軸と、前記ベースの幅方向の両側に枢軸により揺動自在に固定された柔軟性を有する係合側板とを備え、
前記第１の本体及び第２の本体は、高さ方向において枢軸とは反対側に、前記係合側板の係止部を係止させる、係止部を備え、高さ方向において枢軸側に、枢軸固定部を備え、
前記係合側板は、高さ方向において枢軸とは反対側に、前記第１の本体及び第２の本体の係止部を係止させる係止部を備えるとともに、高さ方向において枢軸側に前記係止部と対向する弾性部を備え、
前記係合側板は、前記係止部と弾性部との間において、第１の本体及び第２の本体の係止部及び前記係止部とは高さ方向において反対側の端縁を挟持するように構成され、
枢軸とは反対側において係合側板との係止を脱係させた第１の本体又は第２の本体は、係合側板を構成する第１の係合側板及び第２の係合側板と係合されている第１の本体又は第２の本体を固定する枢軸を中心にして第１の係合側板又は第２の係合側板とともに回転するように構成された、綴じ具。
【請求項２】
前記第１の本体及び第２の本体は、その下部に突設された枢軸固定部を備え、
前記固定手段は、前記第１の本体の枢軸固定部および第２の本体の枢軸固定部を嵌挿する収容部を備えた、請求項１に記載の綴じ具。
【請求項３】
前記第１の本体及び／又は第２の本体又は第１の係合側板及び／又は第２の係合側板は、長さ方向を備え、第１の係合側板及び第２の係合側板に係止部により固定された第１の本体及び第２の本体を長さ方向に移動させるとき、該係合力を強化するように係合力強化部が形成され、
係合力強化部は、長さ方向に交差する方向で、第１の係合側板と第１の本体とを係止する係止部及び第２の係合側板と第２の本体とを係止する係止部に向けて第１の本体及び第２の本体を滑らせて該係止部の係合力を強化するように、第１の本体及び第２の本体と第１係合側板及び／又は第２の係合側板及び／又はベースとは、少なくとも一部が接触する接触手段を備えた、請求項１又は２に記載の綴じ具。
【請求項４】
係合力強化部は、ベースの長さ方向とは交差し、且つ係合側板が起立する方向に向けて、第１の本体と第２の本体とを滑らせるように、前記収容部のベースの長さ方向に交差する面に形成された、請求項２又は３に記載の綴じ具。
【請求項５】
第１の本体及び第２の本体は、その側縁に突設された立ち上がり部を備え、
前記固定手段は、前記第１の本体の立ち上がり部及び前記第２の本体の立ち上がり部と接し合う接合部を備え、
前記係合強化部は、ベースの長さ方向と交差し且つ係合側板が起立する方向に向けて第１の本体と第２の本体とを滑らせるように、前記立ち上がり部の係合側板の接合部と接し合う面に形成された、請求項２乃至４のいずれかに記載の綴じ具。
【発明の詳細な説明】
【技術分野】
【０００１】
この発明は、綴じ具に関し、特に例えば、フィル用表紙に固定されて用いられる樹脂製綴じ具に関する。
【背景技術】
【０００２】
多数の用紙を綴じるためのファイルには、金属製の綴じ具を備えたものと、合成樹脂製の綴じ具を備えたものとがある。
特に、合成樹脂製の綴じ具は、破棄するときにリサイクルができるなど、優れた点があり、ファイルの綴じ具として用いられている。
【０００３】
【特許文献１】特許第３６４０５４８号公報
【発明の開示】
【発明が解決しようとする課題】
【０００４】
従来の樹脂製綴具は、外観、強度、取扱い性、破棄、リサイクル性にも優れ、コストの点でも優れているが、副部綴じ込み片の先端部側中央部に一体形成された係合部としての係合突起と、本体の基端部中央部に、一体形成された支持部としての支持突起とから形成され、綴じ具込み片は、前記係合突起と支持突起とによりより狭持するように形成されているが、綴じられた用紙等が重くなり、衝撃が与えられると、副部綴じ込み片と綴じ込み片との係合部が外れる恐れがある。
また、できるだけ樹脂製綴じ具を構成する部品点数を減らして、環境保護にも対応したいという要望がある。
それゆえに、この発明の主たる目的は、被綴じ物を綴じる第１の本体及び第２の本体が、係合側板から不用意に外れることのない、部品点数を減らすことができる綴じ具を提供することである。
【課題を解決するための手段】
【０００５】
この発明にかかる綴じ具は、被綴じ物の綴じ孔に挿入される第１の綴杆を有する第１の本体と、被綴じ物の綴じ孔に挿入されるために第１の綴杆に連架される第２の綴杆を有する第２の本体と、前記連架された第１の綴杆と第２の綴杆との間隔を縮めた状態で、前記第１の本体及び前記第２の本体を固定するための固定手段とを備えた綴じ具であって、前記固定手段は、ベースと、前記にベースの幅方向の両側に設けられた枢軸と、前記ベースの幅方向の両側に枢軸により揺動自在に固定された柔軟性を有する係合側板とを備え、前記第１の本体及び第２の本体は、高さ方向において枢軸とは反対側に、前記係合側板の係止部を係止させる、係止部を備え、高さ方向において枢軸側に、枢軸固定部を備え、前記係合側板は、高さ方向において枢軸とは反対側に、前記第１の本体及び第２の本体の係止部を係止させる係止部を備えるとともに、高さ方向において枢軸側に前記係止部と対向する弾性部を備え、前記係合側板は、前記係止部と弾性部との間において、第１の本体及び第２の本体の係止部及び前記係止部とは高さ方向において反対側の端縁を挟持するように構成され、枢軸とは反対側において係合側板との係止を脱係させた第１の本体又は第２の本体は、係合側板を構成する第１の係合側板及び第２の係合側板と係合されている第１の本体又は第２の本体を固定する枢軸を中心にして第１の係合側板又は第２の係合側板とともに回転するように構成された、綴じ具である。
この発明の請求項２にかかる綴じ具は、前記第１の本体及び第２の本体は、その下部に突設された枢軸固定部を備え、前記固定手段は、前記第１の本体の枢軸固定部および第２の本体の枢軸固定部を嵌挿する収容部を備えた、請求項１に記載の綴じ具である。
この発明の請求項３にかかる綴じ具は、前記第１の本体及び／又は第２の本体又は第１の係合側板及び／又は第２の係合側板は、長さ方向を備え、第１の係合側板及び第２の係合側板に係止部により固定された第１の本体及び第２の本体を長さ方向に移動させるとき、該係合力を強化するように係合力強化部が形成され、係合力強化部は、長さ方向に交差する方向で、第１の係合側板と第１の本体とを係止する係止部及び第２の係合側板と第２の本体とを係止する係止部に向けて第１の本体及び第２の本体を滑らせて該係止部の係合力を強化するように、第１の本体及び第２の本体と第１係合側板及び／又は第２の係合側板及び／又はベースとは、少なくとも一部が接触する接触手段を備えた、請求項１又は２に記載の綴じ具である。
この発明の請求項４にかかる綴じ具は、係合力強化部は、ベースの長さ方向とは交差し、且つ係合側板が起立する方向に向けて、第１の本体と第２の本体とを滑らせるように、前記収容部のベースの長さ方向に交差する面に形成された、請求項２又は３に記載の綴じ具である。
この発明の請求項５にかかる綴じ具は、第１の本体及び第２の本体は、その側縁に突設された立ち上がり部を備え、前記固定手段は、前記第１の本体の立ち上がり部及び前記第２の本体の立ち上がり部と接し合う接合部を備え、前記係合強化部は、ベースの長さ方向と交差し且つ係合側板が起立する方向に向けて第１の本体と第２の本体とを滑らせるように、前記立ち上がり部の係合側板の接合部と接し合う面に形成された、請求項２乃至４のいずれかに記載の綴じ具である。
【発明の効果】
【０００６】
この発明によれば、被綴じ物を係合側板から不用意に外れることのない、部品点数を減らすことができる綴じ具を得ることができる。
請求項２の発明によれば、前記第１の本体及び第２の本体は、その下部に突設された枢軸固定部を備え、前記固定手段は、前記第１の本体の枢軸固定部および第２の本体の枢軸固定部を嵌挿する収容部を備えているので、確実に第１の本体及び第２の本体を枢軸に固定してベースより外れにくくすることが出来る。
【０００７】
請求項３の発明によれば、綴じ具に被綴じ物を綴じた状態において長さ方向に立てても、係合力強化部によって、係合部が脱係して不用意に開閉する係合側板から被綴じ物を綴り込んだ綴杆が外れることを防ぐことができる。
請求項４の発明によれば、係合力強化部は、ベースの長さ方向とは交差し、且つ係合側板が起立する方向に向けて、第１の本体と第２の本体とを滑らせるように、前記収容部のベースの長さ方向に交差する面に形成されているので、綴じ具に被綴じ物を綴じた状態において長さ方向に立てても、係合力強化部によって、係合部が脱係して不用意に開閉する係合側板から被綴じ物を綴り込んだ綴杆が外れることを防ぐことができる。
請求項５の発明によれば、第１の本体及び第２の本体は、その側縁に突設された立ち上がり部を備え、前記固定手段は、前記第１の本体の立ち上がり部及び前記第２の本体の立ち上がり部と接し合う接合部を備え、前記係合強化部は、ベースの長さ方向と交差し且つ係合側板が起立する方向に向けて第１の本体と第２の本体とを滑らせるように、前記立ち上がり部の係合側板の接合部と接し合う面に形成されているので、綴じ具に被綴じ物を綴じた状態において長さ方向に立てても、係合力強化部によって、係合部が脱係して不用意に開閉する係合側板から被綴じ物を綴り込んだ綴杆が外れることを防ぐことができる。
【０００８】
この発明の上述の目的、その他の目的、特徴及び利点は、図面を参照して行う以下の発明を実施するための最良の形態の説明から一層明らかとなろう。
この発明にかかるファイルの各部は、図１７において示すように、方向性を有している。
【発明を実施するための最良の形態】
【０００９】
図１は、この発明の一実施の形態であるファイルの斜視図解図であり、図２は、この発明に係る綴じ具の一例を示す斜視図解図であり、図３及び図４は、図２に示す綴じ具の分解斜視図解図であり、図５は、係合側板の要部の斜視図解図、（Ａ）は内側の斜視図解図であり、（Ｂ）は一部を断面とした斜視図解図であり、（Ｃ）は外側の斜視図解図であり、図６及び図７は、図１に示す綴じ具の綴杆体の斜視図解図であり、図８は固定手段の側面図解図である。
綴じ具１０は、ファイル１２の一部として用いられ、ファイル１２の表紙１４に取り付けられる。表紙１４は、背表紙１４ａを含み、背表紙１４ａの両側に表表紙１４ｂ及び裏表紙１４ｃが形成される。そして、背表紙１４ａに、綴じ具１０が取り付けられる。
【００１０】
綴じ具１０は、表紙１４に固定するための固定手段たるベース２０を含む。
ベース２０は、図３に示すように、ＡＢＳ樹脂などの合成樹脂などで構成されるほぼ方形板状の基板２２を含む。
【００１１】
基板２２は、例えばリベットなどの固定具を、基板２２に貫設された取付孔２２ａに挿入し、表紙１４を構成するシートと固定することによって、背表紙１４ａに固定される。
【００１２】
ベース２０は、平面視略長方状で、長さ方向を備え、基板２２の幅方向の一方側（裏表紙部１４ｃ側、Ｂ面側）端部には、傾斜部２４が形成され、且つ、基板２２の幅方向の他方側（表表紙１４ｂ側、Ａ面側）端部には、傾斜部２６が形成され、断面略Ｕ字型に形成されている。
この実施の形態においては、基板２２の幅方向の一方側（裏表紙１４ｃ側、Ｂ面側）端部に、支持部２８が上方に向けて立設され、該支持部２８の内側に前記傾斜部２４が形成され、且つ、基板２２の幅方向の他方側（表表紙１４ｂ側、Ａ面側）端部に、前記支持部２８と同様に上方に向けて支持部３０が立設され、その内側面に前記傾斜部２６が形成されている。
一方（Ｂ面側）の傾斜部２４及び支持部２８と他方（Ａ面側）の傾斜部２６および支持部３０とは対称に形成され、後述する綴杆体２００をその両端から支持するように形成されている。
【００１３】
一方（Ｂ面側）の支持部２８は、幅方向におけるその外側に第１枢支部３２、第２枢支部３４、第３枢支部３６及び第４枢支部３８が設けられる。
又、他方（Ａ面側）の支持部３０は、幅方向におけるその外側に第１枢支部４０、第２枢支部４２、第３枢支部４４及び第４枢支部４６が設けられている。
第１枢支部３２と第３枢支部３６とは、手前側に並んで設けられ、第２枢支部３４と第４枢支部３８とは向こう側に並んで設けれ、第１枢支部３２と第３枢支部３６との間には、収容部４８が形成され、又、第２枢支部３４と第４枢支部３８との間には、収容部５０が設けられている。
又、第１枢支部４０と第３枢支部４４とは手前側に並んで設けられ、第２枢支部４２と第４枢支部４６とは向こう側に並んで設けられ、第１枢支部４０と第３枢支部４４との間には、収容部５２が形成され、第２枢支部４２と第４枢支部４６との間には、収容部５４が形成されている。
【００１４】
一方（Ｂ面側）の支持部２８は、基板２２の中央近傍に、凹部５８が設けられ、後述する弾発部１３０が収容される。
他方（Ａ面側）の支持部３０は、基板２２の中央近傍に、凹部６０が、後述する弾発部１３２が収容される。
【００１５】
固定手段たるベース２０は、用箋等の被綴じ物Ｓの綴じ孔（２穴）に挿入され、保持する綴杆体２００を固定するように構成され、綴杆体２００は、用箋等の被綴じ物Ｓの綴じ孔（２穴）に挿入される前後一対の第１の綴杆２００を有する合成樹脂製第１の本体２０４と、被綴じ物Ｓの綴じ孔（２穴）に挿入されるための第１の綴杆２０２に連架される上下一対の第２の綴杆２０６を有する合成樹脂製第２の本体２０８とを備える。
前記一方の支持部２８と他方の支持部３０との間隔は、連架された第１の綴杆２０２と第２の綴杆２０６との間隔を縮めた状態で第１の本体２０４と第２の本体２０８とを固定できるようにするために、その間に、第１の本体２０４と第２の本体２０８との間隔に対応する長さが設けられている。
【００１６】
一方（Ｂ面側）の第１の本体２０４は、第１の綴杆２０２を水平方向に支持するための、且つ固定手段の基板２２より適宜な高さをおいて固定するための板状の立設部２１０を備える。立設部２１０は、基板２２より第１の綴杆２０２を適宜な高さにおいて支持するための高さを備え、且つ、第１の綴杆２０２を、たとえばＪＩＳ（日本工業規格）において規定された２穴の綴じ孔の間隔に対応した上下２本の綴杆、すなわち、一対の杆部２０２a と第２の杆部２０２ｂとを適宜な間隔をおいて支持するための長さを備えている。
又、他方（Ａ面側）の第２の本体２０８は、第２の綴杆２０６を水平方向に支持するための、且つ固定手段の基板２２より適宜な高さをおいて固定するための板状の立設部２１２を備える。立設部２１２は、基板２２より第２の綴杆２０６を適宜な高さにおいて支持するための高さを備え、且つ、第２の綴杆２０６を、たとえばＪＩＳ（日本工業規格）において規定された２穴の綴じ孔の間隔に対応した上下２本の綴杆、すなわち、一対の杆部２０６ａと杆部２０６ｂとを適宜な間隔をおいて支持するための長さを備えている。
【００１７】
この実施の形態においては、一方の裏表紙１４ｃ側（Ｂ面側）の第１の綴杆２０２は、パイプ状の外側挿入部を備え、他方の表表紙１４ｂ側（Ａ面側）の第２の綴杆２０６は、前記第１の綴杆２０２の外側挿入部に挿入されるように形成された棒状の内側挿入部を有する。
【００１８】
第１の綴杆２０２は、立設部２１０と合成樹脂で一体形成されている。
第２の綴杆２０６は、前後一対の杆部２０６ａ及び杆部２０６ｂと、その杆部２０６ａ及び杆部２０６ｂとを連結する連結杆部２０６ｃとからなる平面視略コ字型の金属製綴杆素材２０６Ａを、立設部２１２に貫設された杆部２０６ａ及び杆部２０６ｂを嵌挿するための貫通孔２１２ａ及び貫通孔２１２ｂに嵌挿して固定されて、立設部２１２より垂設されるように形成されている。
【００１９】
第１の本体２０４の立設部２１０の下部には、後述するように、固定手段たる支持部２８の枢軸８０に回転自在に支持されるための枢軸固定部２１４が、ベース２０の長さ方向（表紙１４を垂直に立てたときの長手方向)において二箇所に分かれて、一対突設されている。
又、第２の本体２０８の立設部２１２の下部にも、前記立設部２１０と同様に、固定手段たる支持部３０の枢軸８２に回転自在に支持されるための枢軸固定部２１６が、ベース２０の長さ方向（表紙１４を垂直に立てたときの表紙の高さ方向)において二箇所に分かれて、一対突設されている。
【００２０】
又、第１の本体２０４及び第２の本体２０８は、連架された第１の綴杆２０２と第２綴杆２０６との間隔を縮めた状態で第１の本体２０４及び第２の本体２０８を固定手段たるベース２０に固定する固定手段として、第１の本体２０４に設けられた係止部２１８と第２の本体２０８に設けられた係止部２２０とを含む。
第１の本体２０４の係止部２１８は、立設部２１０の上部に適宜な長さと深さを有する凹みをもって形成され、その上面に突起２１８ａが突設されている。
又、第２の本体２０８の係止部２２０は、立設部２１２の上部に適宜な長さと深さを有する凹みをもって形成され、その上面に突起が形成されている。
【００２１】
この実施の形態においては、第２の綴杆２０６を構成する連結杆部２０６Cが立設部２１２に平行に係止部２２０に固定されており、該連結杆部２０６Ｃが突起を形成するように構成されている。
【００２２】
次に、固定手段たるベース２０に綴杆体２００を固定する係合手段９０について説明する。
係合手段９０は、第１の本体２０４及び第２の本体２０８をベース２０に固定する固定手段を構成し、係合手段９０は、前記第１の本体２０４の上部及び側部に係合される合成樹脂製第１の係合側板９２と、前記第２の本体２０８の上部及び側部に係合される合成樹脂製第２の係合側板９４とを有する。
前記裏表紙１４ｃ側（Ｂ面側）の第１の係合側板９２は、固定手段に設けられた円柱状金属製枢軸８０に揺動自在に固定される。また、表表紙１４ｂ側（Ａ面側）の第２の係合側板９４は、固定手段に設けられた円柱状金属製枢軸８２に揺動自在に固定される。
【００２３】
裏表紙１４ｃ側（Ｂ面側）の第１の係合側板９２は、第１の本体２０４の長さ方向にのびる長さを有する係合体本体１００の上部において内側（ベース２０の幅方向における内側）に向けて突出されてなる上部係止部１０４と、係合体本体１００の下部に設けられた第１枢支部１０８、第２枢支部１１０、第３枢支部１１２及び第４枢支部１１４とを備える。
表表紙１４ｂ側（Ａ面側）の第１の係合側板９４は、第２の本体２０８の長さ方向にのびる長さを有する係合体本体１０２の上部において内側（ベース２０の幅方向における内側）に向けて突出されてなる上部係止部１０６と、係合体本体１０２の下部に設けられた第１枢支部１１６、第２枢支部１１８、第３枢支部１２０及び第４枢支部１２２とを備える。
【００２４】
裏表紙１４ｃ側（Ｂ面側）の第１の係合側板９２は、その下部において適宜な間隔をあけて一対設けられた第１枢支部１０８、第２枢支部１１０、第３枢支部１１２及び第４枢支部１１４により、固定手段の枢軸８０に回動自在に枢支される。
表表紙１４ｂ側（Ａ面側）の第２の係合側板９４は、その下部において適宜な間隔をあけて一対設けられた第１枢支部１１６、第２枢支部１１８、第３枢支部１２０及び第４枢支部１２２により、固定手段の枢軸８２に回動自在に枢支される。
【００２５】
第１の係合側板９２の上部係止部１０４は、係合体本体１００の上端において、ベース２０の幅方向における内側に向けて、突設され、第３枢支部１１２及び第４枢支部１１４より長い幅を備えており、その内端が弾発部１３０の上面に達するように形成されている。
上部係止部１０４の下面は、第１の本体２０４の係止部２１８の突起２１８ａに係止されるための突条１０４ａが突設されている。
【００２６】
第２の係合側板９４の上部係止部１０６は、係合体本体１０２の上端において、ベース２０の幅方向における内側に向けて、突設され、第３枢支部１２０及び第４枢支部１２２より長い幅を備えており、その内端が弾発部１３２の上面に達するように形成されている。
上部係止部１０６の下面は、第２の本体２０８の係止部２２０の突起たる連結杆部２０６ｃに係止されるための突条１０６ａが突設されている。
【００２７】
枢軸８０は、第１の係合側板９２の第１枢支部１０８の枢軸孔、ベース２０の第１枢支部３２の枢軸孔、ベース２０の第３枢支部３６の枢軸孔、第１の係合側板９２の第３枢支部１１２の枢軸孔、第１の係合側板９２の第４枢支部１１４の枢軸孔、ベース２０の第４枢支部３８の枢軸孔、ベース２０の第２枢支部３４の枢軸孔、第１の係合側板９２の第２枢支部１１０の枢軸孔に嵌挿されている。
この実施の形態においては、第１の係合側板９２の第１枢支部１０８及びベース２０の第１枢支部３２の側から、ベース２０の第２枢支部３４及び第１の係合側板９２の第２枢支部１１０の側に向けて、枢軸８０を嵌め込めるように形成されている。
【００２８】
枢軸８２は、第２の係合側板９４の第１枢支部１１６の枢軸孔、ベース２０の第１枢支部４０の枢軸孔、ベース２０の第３枢支部４４の枢軸孔、第２の係合側板９４の第３枢支部１２０の枢軸孔、第２の係合側板９４の第４枢支部１２２の枢軸孔、ベース２０の第４枢支部４６の枢軸孔、ベース２０の第２枢支部４２の枢軸孔、第２の係合側板９４の第２枢支部１１８の枢軸孔に嵌挿されている。
この実施の形態においては、第２の係合側板９４の第１枢支部１１６及びベース２０の第１枢支部４０の側から、ベース２０の第２枢支部４２及び第２の係合側板９４の第２枢支部１１８の側に向けて、枢軸８２を嵌め込めるように形成されている。
【００２９】
第１の本体２０４及び第２の本体２０８を固定手段たるベース２０に固定するために、係合手段９０を構成する第１の係合側板９２は、中央に、第１の本体２０４を保持するための弾発部１３０が形成され、且つ第２の係合側板９４は、中央に、第２の本体２０８を保持するための弾発部１３２が形成されている。
【００３０】
弾発部１３０は、係合体本体１００とは、向こう側細隙１３４及び手前側細隙１３６により区画され、第２の係合側板９４の弾発部１３２は、係合体本体１０２とは、向こう側細隙１３８及び手前側細隙１４０により区画されている。
弾発部１３０は、係合体本体１００より連続して垂下されその下端が断面半円弧に湾曲された枢軸固定部１３０ａと、前記枢軸固定部１３０ａの上端よりベース２０の幅方向において内側に向けてのびた断面円弧状の綴杆体支持部１３０ｂを備える。
弾発部１３２は、係合体本体１０２より連続して垂下されその下端が断面半円弧に湾曲された枢軸固定部１３２ａと、前記枢軸固定部１３２ａの上端よりベース２０の幅方向において内側に向けてのびた断面円弧状の綴杆体支持部１３２ｂを備える。
弾発部１３０は、第１の綴杆２０２と第２の綴杆２０６とを縮めた状態で第１の本体２０４を固定手段たるベース２０に固定するために、第１の本体２０４の上部に係合した第１の係合側板９２を上側（上部係止部１０４側）にむけて付勢する。
弾発部１３２は、第１の綴杆２０２と第２の綴杆２０６とを縮めた状態で第２の本体２０８を固定手段たるベース２０に固定するために、第２の本体２０８の上部に係合した第２の係合側板９４を上側（上部係止部１０６側）にむけて付勢する。
【００３１】
弾発部１３０は、上部係止部１０４と対向して、弾発部１３０と上部係止部１０４と協働して、第１の本体２０４の係止部２１８と立設部２１０の枢軸８０側の端縁とを狭持する。
弾発部１３２は、上部係止部１０６と対向しており、弾発部１３２と上部係止部１０６と協働して、第２の本体２０８の係止部２２０と立設部２１２の枢軸８２側の端縁とを狭持する。
第１綴杆２０２及び第２綴杆２０６を固定部材たる第１係合側板９２及び第２係合側板９４に固定したとき、弾発部１３０と上部係止部１０４とは第１の本体２０４を上下から挟持し、且つ弾発部１３２と上部係止部１０６とは、第２の本体２０８を上下から挟持するように構成されている。
【００３２】
ファイル１２に用箋などの被綴じ物Ｓを保持するには、綴杆体２００を固定手段から外した状態で、被綴じ物Ｓの綴じ孔に綴杆体２００の第１の綴杆２０２に挿通する。このとき、第１の綴杆２０２の先端部は斜めになっているため、容易に書類等の被綴じ物Ｓの綴じ孔に第１の綴杆２０２を挿通することができる。
次に、第１の綴杆２０２の外側挿入部内に第２の綴杆２０６の棒状の内側の挿入部たる杆部２０６ａ及び杆部２０６ｂを挿入し、第１の本体２０４と第２の本体２０８との間に被綴じ物Ｓを保持させる。
次に、第１の本体２０４及び第２の本体２０８を、被綴じ物Ｓを保持した状態で、固定手段たる係合手段９０内にその上方から嵌め込む。
このとき、第１の本体２０４および第２の本体２０８の外側面が係合手段９０の第１の係合側板９２および第２の係合側板９４の内側面の傾斜に沿って、ベース２０に向けて、嵌め込まれる。
そして、第１の本体２０４及び第２の本体２０８の下部に形成された枢軸固定部２１４及び枢軸固定部２１６を、固定手段の支持部２８の枢軸８０および支持部３０の枢軸８２に係合させる。
【００３３】
この実施の形態においては、綴杆体２００の枢軸固定部２１４は、固定手段の支持部２８の第１枢支部３２と第３枢支部３６との間に形成された収容部４８及び第２枢支部３４と第４枢支部３８との間に形成された収容部５０内に嵌め込まれ、枢軸８０に係合するように構成されている。
綴杆体２００の枢軸固定部２１６は、固定手段の支持部３０の第１枢支部４０と第３枢支部４４との間に形成された第３収容部５２及び第２枢支部４２および第４枢支部４６の間に形成された第４収容部５４内に嵌め込まれ、枢軸８２に係合するように構成されている。
綴杆体２００が係合手段９０に嵌め込まれるとき、第１の係合側板９２及び第２の係合側板９４は、弾発部１３０および弾発部１３２の付勢力に抗して、その上部を押し開くことができ、綴杆体２００が下方に向けて嵌め込まれるように構成されている。
【００３４】
そして、綴杆体２００の第１の本体２０４及び第２の本体２０８は、その下の縁が、弾発部１３０及び弾発部１３２の上面に突き当る。
一方、第１の係合側板９２及び第２の係合側板９４は、綴杆体２００に嵌め込まれるとき、第１の係合側板９２及び第２の係合側板９４の弾性により上方が開いた状態になった後、上方の間隔が縮まり、第１の本体２０４の係止部２１８及び第２の本体２０８の係止部２２０に係合する。
すなわち、第１の係合側板９２の上部係止部１０４と第２の係合側板９４の上部係止部１０６とは、それぞれ第１の本体２０４の係止部２１８及び第２の本体２０８の係止部２２０に係合し、それぞれ第１の本体２０４の立設部２１０の側部及び第２の本体２０８の立設部２１２の側部を保持する。このとき、第１の係合側板９２の上部係止部１０４は、第１の本体２０４の係止部２１８の突起２１８ａに係止され、第２の係合側板９４の上部係止部１０６は、第２の本体２０８の係止部２２０の突起たる連結杆部２０６ｃに係止される。
而して、第１の係合側板９２の上部係止部１０４の下縁の突起１０４ａ及び第２の係合側板９４の上部係止部１０６の下縁の突起１０６ａが、第１の本体２０４の係止部２１８の突起２１８ａ及び第２の本体２０８の係止部２２０の突起たる連結杆部２０６ｃの上部から内側縁にかけての面に係合し、且つ第１の本体２０４の枢軸固定部２１４及び第２の本体２０８の枢軸固定部２１６が枢軸８０及び枢軸８２に係合することにより、綴杆体２００は固定手段たるベース２０に連結され固定される。
【００３５】
ファイル１２に保持した用箋などの被綴じ物Ｓを取り外すときには、裏表紙１４ｃ側（Ｂ面側）の係合手段９０の第１の係合側板９２の上部を外側に向けて引くことにより、第１の係合側板９２の上部係止部１０４を綴杆体２００の係止部２１８の突起２１８ａから外し、綴杆体２００の第１の本体２０４を上方にむけて引けば、第１の本体２０４を固定手段から外すことができる。
また、綴杆体２００の表表紙１４ｂ側（Ａ面側）の第２の本体２０８を固定手段から外す場合、係合手段９０の第２の係合側板９４の上部を外側に向けて引くことにより、第２の係合側板９４の上部係止部１０６を綴杆体２００の係止部２２０の突起たる連結杆部２０６ｃから外し、綴杆体２００の第２の本体２０８を上方に持ち上げれば、第２の本体２０８を固定手段から外すことができる。
【００３６】
この実施の形態によれば、裏表紙１４ｃ（Ｂ面側）の第１の本体２０４側と表表紙側14ｂ（Ａ面側）の第２の本体２０８側のうち一方を固定手段たるベース２０から外すこともでき、また、第１の本体２０４側と第２の本体２０８側の両方を固定手段たるベース２０から外すこともできる。
そして、綴杆体２００の第１の本体２０４及び第２の本体２０８のうち固定手段から外されていない側は、枢軸８０または枢軸８２を中心として回動して、外された第１の本体２０４または第２の本体２０８側を上方に持ち上げることができるので、取り扱いが極めて容易である。
杆部２０２ａ、杆部２０２ｂ、杆部２０６ａ及び杆部２０６ｂと弾発部１３０及び弾発部１３２との間隔は、綴杆体２００に綴じられる被綴じ物Ｓの綴じ孔と端縁との間の長さよりわずかに長くなるように規定され、立設部２１０及び立設部２１２は、被綴じ物Ｓの綴じ孔と紙端との長さに対応している。また、弾発部１３０及び弾発部材１３２は、綴じられた被綴じ物Ｓ側の表面は、滑らかな円弧状に形成されており、被綴じ物Ｓの紙端とわずかな隙間があくように形成されている。
【００３７】
第１の係合側板９２及び第２の係合側板９４に係止部２１８及び係止部２２０により固定された第１の本体２０４及び第２の本体２０８は、その長さ方向に移動させるとき、第１の係合側板９２の上部係止部１０４と第１綴杆２０２の係止部２１８の突起２１８ａとの係合力及び第２の側板９４の上部係止部１０６と第２の本体２０８の係止部２２０の突起たる連結杆部２０６ｃとの係合力を強化するように、係合力強化部２３０が形成されている。
【００３８】
係合力強化部２３０は、第１の本体２０４及び第２の本体２０８の長さ方向に交差する方向で、第１の係合側板９２と第１の本体２０４とを係止する係止部（上部係止部１０４及び係止部２１８）及び第２の係合側板９４とを第２の本体２０８とを係止する係止部（上部係止部１０６及び係止部２２０）に向けて第１の本体２０４及び第２の本体２０８を滑らせて、該係止部の係合力を強化するように、第１の本体２０４及び第２の本体２０８と、第１の係合側板９２及び第２の係合側板９４及びベース２０とは、少なくとも一部が接触する接触手段を形成されている。
【００３９】
この発明の実施の形態においては、前記の係合力強化部２３０は、第１の本体２０４及び第１の係合側板９２並びに第２の本体２０８及び第２の係合側板９４を長さ方向における向こう側を上にして垂直に立てたときに、第１の本体２０４及び第２の本体２０８を斜め方向に移動して係止部２１８及び係止部２２０に向けて滑らせるように形成されている。
第１の本体２０４及び第２の本体２０８は、その下部に、枢軸に固定部された枢軸固定部２１４及び枢軸固定部２１６を備えている。
ベース２０は、前記第１の本体２０４の枢軸固定部２１４を嵌挿する第１収容部４８及び第２収容部５０が形成され、且つ本体２０８の枢軸固定部２１６を嵌挿する第３収容部５２及び第４収容部５４が形成されている。
係合力強化部２３０は、ベース２０の長さ方向とは交差し、且つ第１の係合側板９２及び第２の係合側板９４が起立する方向に向けて、第１の本体２０４を滑らせるように、前記第１収容部４８及び第２収容部５０においてベース２０の長さ方向に交差する面に形成されている。
係合力強化部２３０は、ベース２０の長さ方向とは交差し、且つ第１の係合側板９２及び第２の係合側板９４が起立する方向に向けて、第２の本体２０８を滑らせるように、前記第３収容部５２及び第４収容部５４においてベース２０の長さ方向に交差する面に形成されている。
【００４０】
枢軸固定部２１４及び枢軸固定部２１６は、断面円形状の枢軸８０及び枢軸８２に上方から嵌挿されるように構成され、ベース２０の幅方向において、外側及び内側より枢軸８０及び枢軸８２を挟持する。
この実施の形態においては、主として、第１対向面２１４ａを備える部位は、幅方向において外側から、第２対向面２１４ｂを備える部位は、幅方向において内側から枢軸８０を挟むように構成されている。
第２の本体２０８の枢軸固定部２１６は、枢軸８２に嵌装されたときに、枢軸８２の外側と内側の両側から枢軸８２を挟むようにして嵌め込まれるように構成されている。
この実施の形態においては、主として、第１対向面２１６ａを備える部位は、幅方向において外側から、第２対向面２１６ｂを備える部位は、幅方向において内側から枢軸８２を挟むように構成されている。
【００４１】
第１本体２０４の枢軸固定部２１４及び第２の本体２０８の枢軸固定部２１６は、立設部２１０及び立設部２１２の長さ方向に交差し高さ方向にのびる対向面（第１対向面２１４ａ及び第２対向面２１４ｂと第１対向面２１６ａと第２対向面２１６ｂ）を形成されている。
そして、前記第１収容部４８及び第２収容部５０と、前記第３収容部５２及び第４収容部５４とは、長さ方向に交差し高さ方向にのびる第１対向面（第１対向面４８ａ、第１対向面５０ａ、第１対向面５２ａ、第１対向面５４ａ）及び前記第１対向面に対向する第２対向面（第２対向面４８ｂ、第２対向面５０ｂ、第２対向面５２ｂ、第２対向面５４ｂ）を形成されている。
【００４２】
一方（Ｂ面側）において、第１対向面４８ａは、第１枢支部３２の向こう側面に、第２対向面４８ｂは、第３枢支部３６の手前側面に、第１対向面５０ａは、第４枢支部３８の向こう側面に、第２対向面５０ｂは、第２枢支部３４の手前側面に形成されている。
他方（Ａ面側）において、第１対向面５２ａは、第１枢支部４０の向こう側面に、第２対向面５２ｂは、第３枢支部４４の手前側面に、第１対向面５４ａは、第４枢支部４６の向こう側面に、第２対向面５４ｂは、第２枢支部４２の手前側面に形成されている。
前記枢軸固定部２１４の第１対向面２１４ａ及び第２対向面２１４ｂと、第１収容部４８の第１対向面４８ａ及び第２対向面４８ｂ、第２収容部５０の第１対向面５０ａ及び第２対向面５０ｂとは、対向して、第１の本体２０４は、固定手段たるベース２０に固定されている。
また、枢軸固定部２１６の第１対向面２１６ａ及び第２対向面２１６ｂと、第３収容部５２の第１対向面５２ａ及び第２対向面５２ｂ、第４収容部５４の第１対向面５４ａ及び第２対向面５４ｂとは、対向して、第２の本体２０８は、固定手段たるベース２０に固定されている。
【００４３】
すなわち、第１収容部４８に収容された手前側の枢軸固定部２１４の第２対向面２１４ｂと第１対向面４８ａと対向し、枢軸固定部２１４の第１対向面２１４ａと第２対向面４８ｂと対向している。
又、第２収容部５０に収容された向こう側の枢軸固定部２１４の第１対向面２１４ａと第１対向面５０ａと対向し、枢軸固定部２１４の第２対向面２１４ｂと第２対向面５０ｂと対向している。
そして、第３収容部５２に収容された手前側の枢軸固定部２１６の第２対向面２１６ｂと第１対向面５２ａと対向し、枢軸固定部２１６の第１対向面２１６ａと第２対向面５２ｂと対向している。
又、第４収容部５４に収容された向こう側の枢軸固定部２１６の第１対向面２１６ａと第１対向面５４ａと対向し、枢軸固定部２１６の第２対向面２１６ｂと第２対向面５４ｂと対向している。
【００４４】
前記第１収容部４８の第１対向面４８ａ、第２収容部５０の第１対向面５０ａ、第３収容部５２の第１対向面５２ａ、第４収容部５４の第１対向面５４ａは、綴じ具１０の高さ方向において上側（すなわち、上部係止部１０４及び１０６側）に向かうに従って手前側に下降するように傾斜し、又、第１収容部４８の第２対向面４８ｂ、第２収容部５０の第２対向面５０ｂ、第３収容部５２の第２対向面５２ｂ、第４収容部５４の第２対向面５４ｂは、綴じ具１０の高さ方向において上側（すなわち、上部係止部１０４及び１０６側）に向かうにしたがって向こう側に上昇するように傾斜している。
そして、第１の本体２０４の枢軸固定部２１４及び第２の本体２０８の枢軸固定部２１６は、係止部側（すなわち第１の係合側板９２の上部係止部１０４及び第２の係合側板９４の上部係止部１０６並びに第１の本体２０４の係止部２１８の突起２１８ａ及び第２の本体２０８の係止部２２０の突起たる連結杆部２０６ｃ側）に向けて第１の本体２０４及び第２の本体２０８が滑るように、第１対向面２１４ａ及び第２対向面２１４ｂと第１対向面２１６ａ及び第２対向面２１６ｂとを形成されている。
【００４５】
この実施の形態においては、第１の本体２０４及び第２の本体２０８の長さ方向における向こう側を上にして垂直にしたとき（図９参照）、第１収容部４８を構成する第１枢支部３２の第１対向面４８ａは、係合体本体１００の高さ方向において上方（すなわち、上部係止部１０４側）に向かうに従って水平面に対して３度下降する傾斜面に形成され、第２収容部５０を構成する第２枢支部３４の第２対向面５０ｂは、係合体本体１００の高さ方向において上方（すなわち、上部係止部１０４側）に向かうに従って水平面に対して３度上昇するように形成されている。
又、第１の本体２０４及び第２の本体２０８の長さ方向における向こう側を上にして垂直にしたとき（図９参照）、第１収容部４８を構成する第３枢支部３６の第２対向面４８ｂは、係合体本体１００の高さ方向において上方（すなわち、上部係止部１０４側）に向かうに従って水平面に対して３度上昇するように形成され、第２収容部５０を構成する第４枢支部３８の第１対向面５０ａは、係合体本体１００の高さ方向において上方（すなわち、上部係止部１０４側）に向かうに従って水平面に対して３度下降するように構成されている。
又、第１の本体２０４及び第２の本体２０８の長さ方向における向こう側を上にして垂直にしたとき（図１０参照）、第３収容部５２を構成する第１枢支部４０の第１対向面５２ａは、係合体本体１０２の高さ方向において上方（すなわち、上部係止部１０６側）に向かうに従って水平面に対して３度下降するように形成され、第４収容部５４を構成する第２枢支部４２の第２対向面５４ｂは、係合体本体１０２の高さ方向において上方（すなわち、上部係止部１０６側）に向かうに従って水平面に対して３度上昇するように構成されている。
又、第１の本体２０４及び第２の本体２０８の長さ方向における向こう側を上にして垂直にしたとき（図１０参照）、第３収容部５２を構成する第３枢支部４４の第２対向面５２ｂは、係合体本体１０２の高さ方向において上方（すなわち、上部係止部１０６側）に向かうに従って水平面に対して３度上昇するように形成され、第４収容部５４を構成する第４枢支部４６の第１対向面５４ａは、係合体本体１０２の高さ方向において上方（すなわち、上部係止部１０６側）に向かうに従って水平面に対して３度下降するように構成されている。
【００４６】
この実施の形態においては、係合力強化部２３０は、第１の係合側板９２と綴杆体２００の第１の本体２０４との間および第２の係合側板９４と第２の本体２０８との間に、さらに形成されている。
すなわち、第１の本体２０４の立設部２１０の下縁すなわち枢軸固定部２１４側を形成された下縁と交差する側縁、すなわち手前側側縁２２２ａ及び向こう側側縁２２２ｂは、上方に向かうに従って、すなわち、係止部２１８が形成されている上縁側に向かうに従って内側に向け傾斜するように構成されている。
又、第２の本体２０８の立設部２１２の下縁すなわち枢軸固定部２１６が形成された下縁と交差する側縁、すなわち手前側側縁２２４ａ及び向こう側側縁２２４ｂは、上方に向かうに従って、すなわち係止部２２０が形成された上縁側に向かうに従って内側に向けて傾斜するように構成されている。
【００４７】
第１の本体２０４は、手前側側縁２２２ａ及び向こう側側縁２２２ｂに突設された立ち上がり部を備え、第２の本体２０８は、手前側側縁２２４ａ及び向こう側側縁２２４ｂに突設された立ち上がり部を備える。
第１の本体２０４の手前側側縁２２２ａの立ち上がり部及び第１の本体２０４の向こう側２２２ｂの立ち上がり部は、第１の係合側板９２の係合体本体１００の上部を覆う掩蓋部に連結されている。第１の本体２０４の掩蓋部は、係止部２１８を挟んで向こう側及び手前側に形成されている。
第２の本体２０８の手前側側縁２２４ａの立ち上がり部及び第２の本体２０８の向こう側２２４ｂの立ち上がり部は、第２の係合側板９４の係合体本体１０２の上部を覆う掩蓋部に連結されている。第２の本体２０８の掩蓋部は、係止部２２０を挟んで向こう側及び手前側に形成されている。
前記固定手段たる第１の係合側板９２は、前記第１の本体２０４の手前側側縁２２２ａの立ち上がり部と接し合う接合部１００ａ及び向こう側側縁２２２ｂの立ち上がり部と接し合う接合部１００ｂを備え、又、前記固定手段たる第２の係合側板９４は、前記第２の本体２０８の手前側側縁２２４ａの立ち上がり部と接し合う接合部１０２ａ及び向こう側側縁２２４ｂの立ち上がり部と接し合う接合部１０２ｂを備えている。
【００４８】
前記第１の本体２０４の立ち上がり部及び第２の本体２０８の立ち上がり部は、第１の本体２０４及び第２の本体２０８の長さ方向に交差し、高さ方向に伸びる対向面を形成されている。前記固定手段の第１の係合側板９２の接合部１００ａ及び接合部１００ｂ及び第２の係合側板９４の接合部１０２ａ及び接合部１０２ｂは、第１の係合側板９２及び第２の係合側板９４の長さ方向に交差し、高さ方向に伸びる対向面を形成されている。
したがって、綴杆２００を第１の係合側板９２及び第２の係合側板９４の間に嵌合させたとき、第１の本体２０４の手前側側縁２２２ａ及び向こう側側縁２２２ｂの立ち上がり部の内面に第１の係合側板９２の接合部１００ａ及び接合部１００ｂが嵌合するとともに、第２の本体２０８の手前側側縁２２４ａ及び向こう側側縁２２４ｂの立ち上がり部の内面に第２の係合側板９４の接合部１０２ａ及び接合部１０２ｂが嵌合して、且つ、上部係止部１０４に綴杆体２００の係止部２１８の突起２１８ａが係合するとともに、上部係止部１０６に綴杆体２００の係止部２２０の突起たる連結杆部２０６ｃが係合して、綴杆体２００がベース２０に固定される。
【００４９】
前記立ち上がり部の対向面と前記接合部の対向面とは対向して、第１の本体２０４及び第２の本体２０８は、固定手段たる第１の係合側板９２及び第２の係合側板９４に固定される。
すなわち、第１の本体２０４の手前側側縁２２２ａと第１の係合側板９２の接合部１００ａ及び第２の本体２０８の手前側側縁２２４ａと係合側板９４の接合部１０２ａとの前記対向面は、第１の本体２０４及び第２の本体２０８の長さ方向における向こう側（中央内側）に向かうにしたがって係止部２１８及び係止部２２０側に傾斜して、第１の本体２０４及び第２の本体２０８を係止部（すなわち上部係止部１０４及び上部係止部１０６並びに第１の本体２０４の係止部２１８及び第２の本体２０８の係止部２２０）側に向けて滑らせるように傾斜面を形成されている。
又、第１の本体２０４の向こう側側縁２２２ｂと第１の係合側板９２の接合部１００ｂ及び第２の本体２０８の向こう側側縁２２４ｂと第２の係合側板９４の接合部１０２ｂとの前記対向面は、第１の本体２０４及び第２の本体２０８の長さ方向における手前側（中央内側）に向かうにしたがって係止部２１８及び係止部２２０側に傾斜して、第１の本体２０４及び第２の本体２０８を係止部（すなわち上部係止部１０４及び上部係止部１０６並びに第１の本体２０４の係止部２１８及び第２の本体２０８の係止部２２０）側に向けて滑らせるように傾斜面を形成されている。
【００５０】
すなわち、前記係合力強化部２３０は、第１の本体２０４及び第１の係合側板９２並びに第２の本体２０８及び第２の係合側板９４を長さ方向における向こう側を上にして垂直に立てたときに、第１の本体２０４及び第２の本体２０８を綴杆体２００の第１の本体２０４の向こう側側縁２２２ｂ及び第２の本体２０８の向こう側側縁２２４ｂによって導かれて、斜め方向に移動して係止部２１８及び係止部２２０に向けて滑らせるように形成されている。
【００５１】
この発明は、前記実施の形態の綴じ具に限らず、この発明の思想に基き種々変更することが可能である。
【産業上の利用可能性】
【００５２】
この発明にかかる綴じ具は、たとえば２穴用や４穴用など多穴用のファイル・バインダ類の綴じ具に適用できる。
【図面の簡単な説明】
【００５３】
【図１】この発明の一実施の形態であるファイルの斜視図解図である。
【図２】この発明に係る綴じ具の一例を示す斜視図解図である。
【図３】図２に示す綴じ具の分解斜視図解図である。
【図４】図２に示す綴じ具の分解斜視図解図である。
【図５】係合側板の要部の斜視図解図であり、（Ａ）は内側の斜視図解図であり、（Ｂ）は一部を断面とした斜視図解図であり、（Ｃ）は外側の斜視図解図である。
【図６】綴杆体の斜視図解図である。
【図７】綴杆体の斜視図解図である。
【図８】固定手段の側面図解図である。
【図９】綴杆体を固定手段に固定した状態における平面図解図である。
【図１０】綴杆体を固定手段に固定した状態における右側面図解図である。
【図１１】綴杆体を固定手段に固定した状態における左側面図解図である。
【図１２】綴杆体の要部の側面図解図であり、（Ａ）は外側の側面図解図であり、（Ｂ）は内側の側面図解図である。
【図１３】綴杆体を固定手段に固定した状態における正面図解図である。
【図１４】綴杆体を固定手段に固定した状態における断面図解図である。
【図１５】固定された綴じ具を解除するときの様子を示す図解図である。
【図１６】固定された綴じ具を解除するときの動きを示す図解図である。
【図１７】図１に示す綴じ具の綴杆体をのばし、被綴じ物を綴じる状態を示す断面図解図である。
【図１８】図１に示す綴じ具の綴杆体をのばし、被綴じ物を綴じる状態を示す断面図解図である。
【図１９】この発明にかかるファイルの各部及び方向を示す斜視図解図である。
【符号の説明】
【００５４】
１０  綴じ具
１２  ファイル
１４  表紙
１４ａ  背表紙
１４ｂ  表表紙
１４ｃ  裏表紙
２０  ベース
２２  基板
２２ａ  取付孔
２４，２６  傾斜部
２８，３０  支持部
３２，４０  第１枢支部
３４，４２  第２枢支部
３６，４４  第３枢支部
３８，４６  第４枢支部
４８  第１収容部
４８ａ  第１対向面
４８ｂ  第２対向面
５０  第２収容部
５０ａ  第１対向面
５０ｂ  第２対向面
５２  第３収容部
５２ａ  第１対向面
５２ｂ  第２対向面
５４  第４収容部
５４ａ  第１対向面
５４ｂ  第２対向面
５８  凹部
６０  凹部
８０，８２  枢軸
９０  係合手段
９２  第１の係合側板
９４  第２の係合側板
１００，１０２  係合体本体
１００ａ, １００ｂ, １０２ａ, １０２ｂ  接合部
１０４，１０６  上部係止部
１０４ａ，１０６ａ  突条
１０８，１１６  第１枢支部
１１０，１１８  第２枢支部
１１２，１２０  第３枢支部
１１４，１２２  第４枢支部
１３０，１３２  弾発部
１３０ａ，１３２ａ  枢軸固定部
１３０ｂ，１３２ｂ  綴杆体支持部
１３４，１３８  向こう側細隙
１３６，１４０  手前側細隙
２００  綴杆体
２０２  第１の綴杆
２０２ａ  杆部
２０２ｂ  杆部
２０４  第１の本体
２０６  第２の綴杆
２０６ａ  杆部
２０６ｂ  杆部
２０６ｃ  連結杆部
２０８  第２の本体
２１０，２１２  立設部
２１２ａ，２１２ｂ  貫通孔
２１４，２１６  枢軸固定部
２１４ａ  第１対向面
２１４ｂ  第２対向面
２１６ａ  第１対向面
２１６ｂ  第２対向面
２１８，２２０  係止部
２１８ａ  突起
２２２ａ  手前側側縁
２２２ｂ  向こう側側縁
２２４ａ  手前側側縁
２２４ｂ  向こう側側縁
２３０  係合力強化部
Ｓ  被綴じ物
【図１】
2008302508.tif 000003
【図２】
2008302508.tif 000004
【図３】
2008302508.tif 000005
【図４】
2008302508.tif 000006
【図５】
2008302508.tif 000007
【図６】
2008302508.tif 000008
【図７】
2008302508.tif 000009
【図８】
2008302508.tif 000010
【図９】
2008302508.tif 000011
【図１０】
2008302508.tif 000012
【図１１】
2008302508.tif 000013
【図１２】
2008302508.tif 000014
【図１３】
2008302508.tif 000015
【図１４】
2008302508.tif 000016
【図１５】
2008302508.tif 000017
【図１６】
2008302508.tif 000018
【図１７】
2008302508.tif 000019
【図１８】
2008302508.tif 000020
【図１９】
2008302508.tif 000021